(57)【特許請求の範囲】
【請求項１】
鍵により開閉可能とし収納物の出し入れを行う扉を備えた自動取引装置において、
前記扉の溶断または前記扉への攻撃があったときに連結が外れる保持手段と、
当該保持手段により保持される第１の落下部材とを備え、
前記第１の落下部材が落下したときに前記扉の固定部材と装置底部の固定部材に嵌合して前記扉が開かないようにし、
前記保持手段に連結され、落下したときに収納物の取っ手および装置底部の固定部材に嵌合する第２の落下部材を設けたことを特徴とする自動取引装置。
【請求項２】
前記保持手段は、下部に連結部を有し、上側端部に支点ピンを有し、前記支点ピンを支点として前後に揺動自在な板状の部材であって、
前記第１の落下部材は、その上部に前記連結部に連結される嵌合部を設けて前記保持手段と連結するようにしたことを特徴とする請求項１記載の自動取引装置。
【発明の詳細な説明】
【技術分野】
【０００１】
本発明は、現金自動支払機、現金自動預払機等（以下、「自動取引装置」という）の防犯構造に関するものである。
【背景技術】
【０００２】
従来の自動取引装置においては、扉の鍵への攻撃や扉などの溶断破壊により内部に備えた金庫等が盗難されることを防止するための構造として次のような構造が採用されていた。
【０００３】
すなわち、板厚を厚くしたもの、素材を一般鋼板より融点の高いステンレスや熱伝導率の高いアルミや銅等の金属板を重ね合わせた構造としたもの、或いは金属板と金属板の間に砂やセラミックスなどの不燃材を詰めたもの、空間を設け二重構造としたものがあった。
【０００４】
また、扉の鍵の周辺を溶断すれば、扉の合わせ目やヒンジ部を溶断するより短い時間で扉のリンク機構を操作できるので、鍵の周辺が溶断される場合が特に多く、この鍵の周辺の溶断時間を長くするために、図１１に示したように、扉１の鍵７周辺に厚板１ｘを追加して強化する構造が採用されていた（例えば、特許文献１参照）。
【特許文献１】特開平９−３１９９２４号公報
【発明の開示】
【発明が解決しようとする課題】
【０００５】
しかしながら、上記従来の構造では、板厚を厚くする構造では、装置の重量や大きさ、さらに製造コストも大幅に増加してしまうという問題があり、金属以外の不燃材を用いた構造では、金属以外の不燃材のリサイクルが困難なため廃棄処理が困難となるなどの問題があった。
【課題を解決するための手段】
【０００６】
本発明は、前述の課題を解決するため次の構成を採用する。すなわち、鍵により開閉可能とし収納物の出し入れを行う扉を備えた自動取引装置において、前記扉の溶断または前記扉への攻撃があったときに連結が外れる保持手段と、当該保持手段により保持される第１の落下部材とを備え、前記第１の落下部材が落下したときに前記扉の固定部材と装置底部の固定部材に嵌合して前記扉が開かないようにし、前記保持手段に連結され、落下したときに収納物の取っ手および装置底部の固定部材に嵌合する第２の落下部材を設けた。
【発明の効果】
【０００７】
本発明によれば、鍵により開閉可能とし収納物の出し入れを行う扉を備えた自動取引装置において、前記扉の溶断または前記扉への攻撃があったときに連結が外れる保持手段と、前記保持手段により保持される第１の落下部材とを備え、前記第１の落下部材が落下したときに前記扉の固定部材と装置底部の固定部材に嵌合して前記扉が開かないようにし、前記保持手段に連結され、落下したときに収納物の取っ手および装置底部の固定部材に嵌合する第２の落下部材を設けたので、さらに前記扉の溶断または前記扉への攻撃に対する耐久時間を長くすることができるとともに、装置の重量や大きさ、さらに製造コストも増加することなく、また、リサイクルも容易とすることができる。
【発明を実施するための最良の形態】
【０００８】
以下、本発明に係わる実施の形態例を、図面を用いて説明する。図面に共通する要素には同一の符号を付す。
【実施例１】
【０００９】
（構成）
図１は実施例１の自動取引装置の外観斜視図であり、図２、図３および図４は、実施例１の自動取引装置の上面図、正面図および側面図である。図１に示したように実施例１の自動取引装置は、鍵７により開閉して金庫等の出し入れを行うための前扉１と、顧客が取引操作を行うための操作パネル２と、自動取引装置を覆う装置筐体３とを備える。
【００１０】
そして、前扉１は装置筐体３とヒンジ４にて連結されている。鍵７は、前扉１に固定されており、鍵７の先端はカンヌキ５に連結されており、鍵７を操作することにより、カンヌキ５が矢印Ａ方向に移動し、前扉１を閉める場合は図中左側にカンヌキ５が移動し装置筐体３にロックされ前扉１が施錠され、前扉１を開く場合は鍵７の操作により図中矢印Ａの右側方向にカンヌキ５が移動し装置筐体３へのロックが解除され、前扉１が開錠される。
【００１１】
そして、リロッキング金具１１は、前扉１に嵌め込まれている支点ピン１２ａ、１２ｂと結合している。落下金具１０は、上部に連結部が設けられて当該連結部にリロッキング金具１１の下端の引っ掛け部が連結して落下しないようになっており、カンヌキ５の裏側に設けられた固定具１０ａにて固定されている。
【００１２】
なお、リロッキング金具１１の素材は、合成成分としてクロム（Ｃｒ）、ニッケル（Ｎｉ）、モリブデン（Ｍｏ）、カーボン（Ｃ）などを含む燃焼障害成分からなるステンレス鋼等の部材で、容易に溶断できない素材で構成されている。
【００１３】
（動作）
以上の構成により、実施例１の自動取引装置は以下のように動作する。この動作を図５のリロッキング金具１１を図４の矢印Ｘ−Ｘ方向から見た図であり、鍵７が攻撃されＢ方向に押し込まれたときの図と、図６の鍵７周辺をガス溶接機１４等により溶断されようとしたときの図を用いて説明する。
【００１４】
すなわち、図５に示したように鍵７が破壊され、鍵７が装置内部に矢印Ｂのように押し込まれたり、図６に示したような前扉１にガス溶断機１４等による矢印Ｂ方向の溶断攻撃があると、リロッキング金具１１が支点ピン１２ａ、１２ｂを軸として矢印Ｃ方向に回転する。
【００１５】
すると、落下金具１０の上部の連結部にてリロッキング金具１１と連結されていた落下金具１０は、連結が外れて固定具１０ａに沿って矢印Ｄの方向に落下し、装置筐体３内側の底面部に設けられた固定具１０ｂに嵌合して停止する。その結果、前扉１は開かなくなる。
【００１６】
なお、以上の説明では、落下金具１０を１本だけ、扉１の後側に設けるように説明したが、複数本、平行して設けるようにしてもよい。
【００１７】
（実施例１の効果）
以上詳細に述べたように実施例１の自動取引装置によれば、扉の溶断または前記扉への攻撃があったときに連結が外れるリロッキング金具と、リロッキング金具により保持される落下金具とを備え、当該落下金具が落下したときに扉の固定具と装置底部の固定具に嵌合して扉が開かないようにしたので、前記扉の溶断または前記扉への攻撃に確実に対抗でき、装置の重量や大きさ、さらに製造コストも増加することなく、また、リサイクルも容易とすることができる。
【実施例２】
【００１８】
（構成）
図７は実施例２の自動取引装置の外観斜視図であり、図８、図９および図１０は、実施例２の自動取引装置の上面図、正面図および側面図である。同図に示したように、実施例２の自動取引装置は、実施例１の自動取引装置と同様に、鍵７により開閉して金庫等の出し入れを行うための前扉１と、顧客が取引操作を行うための操作パネル２と、自動取引装置を覆う装置筐体３とを備える。
【００１９】
そして、前扉１は、装置筐体３とヒンジ４にて連結されている。前扉１に固定された鍵７の先端はカンヌキ５に連結されており、鍵７を操作することにより、カンヌキ５が矢印Ａ方向に移動し、前扉１を閉める場合はカンヌキ５が図中左側に移動し装置筐体３にロックされ前扉１が施錠される。前扉１を開く場合は鍵７の操作により図中矢印Ａの右側方向にカンヌキ５を移動し装置筐体３へのロックが解除され前扉１が開錠される。
【００２０】
そして、リロッキング金具１１は、前扉１に嵌め込まれている支点ピン１２と結合している。落下金具１０は、上部に連結部が設けられて当該連結にリロッキング金具１１の下端突起部が連結して落下しないようになっており、カンヌキ５の裏側に設けられた固定具１０ａにて固定されている。
【００２１】
なお、実施例１と同様に、リロッキング金具１１の素材は、合成成分としてクロム（Ｃｒ）、ニッケル（Ｎｉ）、モリブデン（Ｍｏ）、カーボン（Ｃ）などを含む燃焼障害成分からなるステンレス鋼等の部材で、容易に溶断できない素材で構成されている。
【００２２】
また、装置筐体３内には、紙幣処理機９があり、取っ手１３が接合されている金庫９ａが収納されている。
【００２３】
そして、落下金具１０と同様の形状の落下金具２０が、リロッキング金具１１の下部の連結部と連結して落下しないように保持され、前扉１の裏側に設けられた固定具１０ｃにて固定されている。
【００２４】
また、装置筐体３の底部には、落下金具１０が落下して嵌合する固定具１０ｂと同様の形状の固定具１０ｄが設けられている。
【００２５】
（動作）
以上の構成により、実施例２の自動取引装置は以下のように動作する。すなわち、実施例１と同様、図５に示したように鍵７が破壊され、鍵７が装置内部に矢印Ｂのように押し込まれたり、図６に示したような前扉１にガス溶断機１４等による矢印Ｂ方向の溶断攻撃があると、リロッキング金具１１が支点ピン１２ａ、１２ｂを軸として矢印Ｃ方向に回転する。
【００２６】
すると、図１０に示したように、上部がリロッキング金具１１と連結されていた落下金具１０および落下金具２０は、連結が外れて同図および図７ないし図９に示したようにそれぞれ固定具１０ａ、１０ｃに沿って矢印Ｄの方向に落下し、装置筐体３内側の底面部に設けられた固定具１０ｂ、１０ｄにそれぞれ嵌合して停止するので、落下金具１０により前扉１が開かなくなり、また、万が一、前扉１が開かれた場合でも、落下金具２０により紙幣処理機９の金庫９ａが固定されているので、容易に金庫９ａを取り出すことができない。
【００２７】
なお、以上の説明では、落下金具１０および落下金具２０をそれぞれ１本ずつ、設けるように説明したが、複数本設けるようにしてもよい。
【００２８】
（実施例２の効果）
以上のように、実施例２の自動取引装置によれば、扉の溶断または前記扉への攻撃があると落下金具が落下して金庫の取っ手にも嵌合して装置筐体に固定されるようにしたので、さらに扉の溶断または前記扉への攻撃に対する耐久時間を長くすることができるとともに、装置の重量や大きさ、さらに製造コストも増加することなく、また、リサイクルも容易とすることができる。
【００２９】
《その他の変形例》
以上の実施例の説明では、装置前面からの攻撃や溶断に対する防犯構造について説明したが、同様の構造を側面側にも設けることにより、側面への攻撃や溶断に対する防犯も可能となる。
【００３０】
また、本実施例の説明では、落下金具１０、２０を垂直方向に移動可能とし自重によって落下するように説明したがこれには限定されず、例えば水平方向の付勢手段と、当該付勢手段により水平方向にスライドするスライド金具を設け、前扉１の溶断や鍵７などへの攻撃によりリロッキング金具が外れて当該付勢手段によりスライド金具を水平方向にスライドさせて前扉１を開かなくするようにしてもよい。
【産業上の利用可能性】
【００３１】
以上述べたように、本発明は、扉の溶断または扉への攻撃による盗難を防止する必要がある現金自動支払機、現金自動預払機などの自動取引装置に広く用いることができる。
【図面の簡単な説明】
【００３２】
【図１】実施例１の自動取引装置の外観斜視図である。
【図２】実施例１の自動取引装置の上面図である。
【図３】実施例１の自動取引装置の正面図である。
【図４】実施例１の自動取引装置の側面図である。
【図５】実施例１の自動取引装置の動作説明図である。
【図６】実施例１の自動取引装置の動作説明図である。
【図７】実施例２の自動取引装置の外観構成図である。
【図８】実施例２の自動取引装置の上面図である。
【図９】実施例２の自動取引装置の正面図である。
【図１０】実施例２の自動取引装置の側面図である。
【図１１】従来の自動取引装置の防犯のための構造である。
【符号の説明】
【００３３】
１    前扉
２    操作パネル
３    装置筐体
４    ヒンジ
５    カンヌキ
７    鍵
９    紙幣処理機
９ａ  金庫
１０、２０  落下金具
１０ａ〜１０ｄ  固定具
１１  リロッキング金具
１２ａ、１２ｂ  支点ピン
１３  取っ手
【図１】
0005171382.tif 000002
【図２】
0005171382.tif 000003
【図３】
0005171382.tif 000004
【図４】
0005171382.tif 000005
【図５】
0005171382.tif 000006
【図６】
0005171382.tif 000007
【図７】
0005171382.tif 000008
【図８】
0005171382.tif 000009
【図９】
0005171382.tif 000010
【図１０】
0005171382.tif 000011
【図１１】
0005171382.tif 000012